(57)【要約】【課題】複数のユーザがそれぞれヘッドフォンを装着している場合でも、会話をスムーズに行えるようにするテレビ受像機を提供すること。【解決手段】音声入力部６０から音声が入力されたことを検知すると、音声制御部５０は、第１音声信号処理部１０８ａ及び第２音声信号処理部１０８ｂから入力されている音声の音量を一時的に下げ、音声入力部６０から入力された音声と合成する。そして、合成された音声をワイヤレス送受信部４０を介してワイヤレス送受信機に送信する。また、音声入力が終了すると、音声制御部５０は、第１音声信号処理部１０８ａ及び第２音声信号処理部１０８ｂから入力されている音声の音量を規定値に戻す制御を行う。【選択図】図２
2008072558.tif 000002
【特許請求の範囲】
【請求項１】
多画面に分割表示された番組の音声を複数のユーザがヘッドフォンで視聴すると共に、マイクでユーザの音声を入力するテレビ受像機において、
前記マイクから入力されたユーザの音声を検出する音声検出手段と、
前記音声検出手段によりユーザの音声が検出されると、視聴中の前記番組の音声を所定の音量にまで下げる音量調整手段と、
前記音量調整手段により音量を下げられた前記番組の音声と前記ユーザの音声とを合成する音声合成手段と、
を備えたことを特徴とするテレビ受像機。
【請求項２】
前記ヘッドフォン及びマイクと、前記テレビ受像機とは、双方向ワイヤレス通信方式を用いて接続されていることを特徴とする請求項１に記載のテレビ受像機。
【請求項３】
ユーザの音声が検出された際に、前記番組を記録する記録手段を備えていることを特徴とする請求項１又は２に記載のテレビ受像機。
【請求項４】
前記多画面表示は、２画面表示であることを特徴とする請求項１から３のいずれか一つに記載のテレビ受像機。
【発明の詳細な説明】
【技術分野】
【０００１】
本発明は、多画面に分割表示された番組の音声を複数のユーザがヘッドフォンで視聴すると共に、マイクでユーザの音声を入力するテレビ受像機に関する。
【背景技術】
【０００２】
テレビ受像機に関連する技術の進歩に伴い、画面サイズの大型化が進んでいる。このように画面サイズの大型化に従い、テレビ受像機において、テレビ番組を視聴する環境も大きく変化している。このような視聴環境が大きく変化する中で、特に、例えば、多人数で１台のテレビの共有化を図り、テレビというリソースの有効利用が行われつつある。
【０００３】
ここで、複数のユーザが視聴出来るように、例えば左右の方向から異なる２つの映像を視聴することが可能なテレビ受像機も開発されている。ここで、テレビ受像機の表示画面を２画面に分割してそれぞれの映像を視聴する場合は、番組が異なることから、それぞれの番組を大きな音で視聴することはできない。したがって、ユーザは、ヘッドフォンを使用して視聴することが考えられる。
【０００４】
このように、ユーザ同士がヘッドフォンを装着していると、当然お互いの会話ができず、ちょっとした会話をするためにも、ヘッドフォンを外さなければならないという煩わしさがある。
【０００５】
そこで、従来、ヘッドフォンとマイクの組み合わせにより、他の音声を聴きながら、互いに会話を行う方法が行われており（例えば、特許文献１参照）、この方法等を使用することにより、上記のようにヘッドフォンを外すような煩わしさを回避することができる。
【特許文献１】実開昭５９−２２５９２号公報
【発明の開示】
【発明が解決しようとする課題】
【０００６】
しかしながら、上記従来の方法では、視聴中の番組の音声と相手の声が同時に入力されるために、相手の音声が聞き取れない場合があった。このため、ユーザは、視聴中の番組の音量を手動操作により調整しなければならず、操作が煩雑になってしまうといった問題点があった。
【０００７】
また、ユーザは他のユーザとの会話に注意を向けている場合に、現在視聴している番組の映像や音声、又はその両方の情報を逃してしますことがあり得るという問題点があった。
【０００８】
上述した課題に鑑み、本発明が目的とするところは、複数のユーザがそれぞれヘッドフォンを装着している場合でも、会話をスムーズに行えるようにするテレビ受像機を提供することである。
【課題を解決するための手段】
【０００９】
上述した課題を解決するために、本発明におけるテレビ受像機は、多画面に分割表示された番組の音声を複数のユーザがヘッドフォンで視聴すると共に、マイクでユーザの音声を入力するテレビ受像機において、前記マイクから入力されたユーザの音声を検出する音声検出手段と、前記音声検出手段によりユーザの音声が検出されると、視聴中の前記番組の音声を所定の音量にまで下げる音量調整手段と、前記音量調整手段により音量を下げられた前記番組の音声と前記ユーザの音声とを合成する音声合成手段と、を備えたことを特徴とする。
【００１０】
また、本発明におけるテレビ受像機は、前記ヘッドフォン及びマイクと、前記テレビ受像機とは、双方向ワイヤレス通信方式を用いて接続されていることを特徴とする。
【００１１】
また、本発明におけるテレビ受像機は、ユーザの音声が検出された際に、前記番組を記録する記録手段を備えていることを特徴とする。
【００１２】
また、本発明におけるテレビ受像機は、前記多画面表示は、２画面表示であることを特徴とする。
【発明の効果】
【００１３】
本発明によれば、マイクからユーザの音声が検出された際に、視聴中の番組の音声が、所定音量まで下がり、入力されたユーザの音声と合成されることとなる。したがって、音声が入力されると、ユーザが操作することなく、テレビの音量が下がることにより、ユーザの音声が聞き取りやすくなる。
【００１４】
また、本発明によれば、ユーザの音声が検出された際に、番組が記録されることとなる。したがって、ユーザ同士で会話している間の番組が記録されることにより、番組を気にすることなく、会話をすることができる。
【発明を実施するための最良の形態】
【００１５】
以下、本発明に係るテレビ受像機の実施形態について、最良の形態の一例を、図面を用いて詳細に説明する。
【００１６】
図１は、テレビ受像機１及びワイヤレス送受信機７の構成を説明する為の図である。テレビ受像機１と、一又は複数のワイヤレス送受信機７とは双方向ワイヤレス通信方式で接続されている。ここで、双方向ワイヤレス通信方式としては、特定の周波数を利用した無線方式や、赤外線を利用した方式等のいずれか公知の技術が用いられているものとする。
【００１７】
テレビ受像機１は、放送局から受信した番組を液晶ディスプレイ３に映像を表示すると共に、音声信号を信号送受信部５を介してワイヤレス送受信機７に送信する。さらに、ワイヤレス送受信機７から入力されたユーザの音声を、信号送受信部５を介して受信する。ここで、テレビ受像機１は、受信された複数の番組を合成して同一画面に表示することができる。例えば、２つの番組をデュアルビュー液晶を利用して表示することにより、右方向から見たユーザと、左方向から見たユーザとに対し、別の番組を表示させることが可能となる。
【００１８】
ワイヤレス送受信機７は、ヘッドフォン７ａと、マイク７ｂと、信号送受信部７ｃとを備えて構成されている。ワイヤレス送受信機７は、テレビ受像機１の信号送受信部５から出力された音声信号を信号送受信部７ｃで受信し、ヘッドフォン７ａから音声として出力する。また、マイク７ｂから音声が入力されると、ワイヤレス送受信機７は、信号送受信部７ｃを介して、テレビ受像機１に音声信号を送信する。そして、テレビ受像機１は、入力された音声と、テレビの音声信号とを合成し、音声信号として信号送受信部５から送信する。
【００１９】
なお、本実施形態においては、説明の都合上、ワイヤレス送受信機７は２つ備えられているものとして説明するが、ワイヤレス送受信機７の数は限定されるものではないのは勿論である。
【００２０】
続いて、テレビ受像機１の機能構成を図２に示す。図２に示すように、テレビ受像機１には、受信部（第１受信部１０ａ及び第２受信部１０ｂ）と、表示制御部１２と、表示装置１４と、制御部２０と、記憶部３０と、ワイヤレス送受信部４０と、音声制御部５０と、音声入力部６０と、を備えている。
【００２１】
ここで、本実施形態におけるテレビ受像機１は、２つの番組を受信するために２つの受信部を備えている。図２に示すように、受信部として、第１受信部１０ａと、第２受信部１０ｂとを備えている。
【００２２】
受信部は、チューナー部と、デコーダ部と、映像信号処理部と、音声信号処理部とを備えており、外部アンテナから受信された放送波をデコードし、映像信号及び音声信号として出力する機能部である。
【００２３】
チューナー部は、アンテナＡＮＴから受信された受信信号から、各チューナーに設定されているチャンネルに対応する周波数の受信信号を選局（抽出）し、各信号が多重化されたトランスポートストリーム（ＴＳ：Ｔｒａｎｓｐｏｒｔ  Ｓｔｒｅａｍ）信号を抽出する。具体的には、受信信号をＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式で復調し、ビダビ復号等を用いて誤り訂正を行いＴＳ信号を抽出する。そして、抽出されたＴＳ信号をデコーダ部に出力する。なお、図２において、チューナー部は、第１チューナー部１０２ａ及び第２チューナー部１０２ｂが相当する。
【００２４】
デコーダ部は、チューナー部から入力されたＴＳ信号から、映像や音声等のＥＳ（Ｅｌｅｍｅｎｔａｒｙ  Ｓｔｒｅａｍ）に分離し、出力する。ここで、分離された映像のＥＳは映像信号処理部に、音声のＥＳは音声信号処理部へ出力される。なお、図２において、デコーダ部は、第１デコーダ部１０４ａ及び第２デコーダ部１０４ｂが相当する。
【００２５】
映像信号処理部は、デコーダ部から入力された映像のＥＳから映像信号を復号し、出力する処理部である。出力された映像信号は、表示制御部１２に出力される。なお、図２において、映像信号処理部は、第１映像信号処理部１０６ａ及び第２映像信号処理部１０６ｂが相当する。
【００２６】
音声信号処理部は、デコーダ部から入力された音声のＥＳから音声信号を復号し、出力する処理部である。出力された音声信号は、音声制御部４２に出力される。なお、図２において、音声信号処理部は、第１音声信号処理部１０８ａ及び第２音声信号処理部１０８ｂが相当する。
【００２７】
表示制御部１２は、映像信号処理部から入力された信号に基づいて表示装置に出力する映像信号を生成し、出力する制御部である。図２においては、第１映像信号処理部１０６ａ及び第２映像信号処理部１０６ｂから入力された信号を合成し、映像信号として表示装置１４に出力する。ここで、映像を合成する方法としては、表示装置１４としてデュアルビュー液晶を使用することを想定して１画面全面に合成することとしても良いし、１画面を左右２画面に分割して表示することとしても良い。
【００２８】
表示装置１４は、表示制御部１２から入力される映像信号に基づいて映像を表示するための装置である。表示装置１４の一例としては、液晶ディスプレイや、プラズマディスプレイ等により構成されている。なお、図１における液晶ディスプレイ３に相当する。
【００２９】
制御部２０は、テレビ受像機１の各動作部及び制御を行う処理装置である。テレビ受像機１に記憶されている各種プログラムを読み出し、実行することにより各処理を実行する。
【００３０】
記憶部３０は、テレビ受像機１におけるプログラムや、各種設定データ等を記憶する機能部であり、例えば、ＤＲＡＭやフラッシュメモリ、ハードディスクドライブ等の記憶装置により構成されている。ここで、記憶部３０には、映像・音声データ３０２が記憶されている。
【００３１】
映像データ３０２は、現在放送中の番組を記憶する領域である。受信部で復調された番組が、映像データ３０２に記憶されることとなる。また、テレビ受像機１は、映像データ３０２に基づいて番組を表示することができる。
【００３２】
ワイヤレス送受信部４０は、テレビ受像機１と、ワイヤレス送受信機７とを接続するためのインタフェースである。テレビ受像機１から、ワイヤレス送受信部４０を介してワイヤレス送受信機７に対し音声信号が送信される。また、ワイヤレス送受信機７から送信された音声信号を受信し、音声入力部６０に出力する。
【００３３】
音声制御部５０は、音声信号処理部から出力される音声信号と、音声入力部６０から入力される音声（以下、適宜「入力音声」という。）とを制御し、ワイヤレス送受信部４０に出力する制御部である。ここで、音声制御部５０は、各音声信号処理部から出力される音声信号と、ワイヤレス送受信機とを対応づけて制御し出力する。具体的には、例えば、第１音声信号処理部１０８ａから出力される音声信号を、第１のワイヤレス送受信機に、第２音声信号処理部１０８ｂから出力される音声信号を、第２のワイヤレス送受信機に送信するように制御する。
【００３４】
音声入力部６０は、ワイヤレス送受信機７から、ワイヤレス送受信部４０を介して受信された音声信号を音声として入力する機能部である。ここで、音声入力部６０から入力された音声は、音声制御部５０に出力される。
【００３５】
〔処理の流れ〕
続いて、本実施形態におけるテレビ受像機１の動作について図３の動作フローを用いて説明する。
【００３６】
まず、制御部２０は、音声入力部６０により入力音声が検知されたか否かを判定する（ステップＳ１０）。ここで、入力音声が検知された場合は（ステップＳ１０；Ｙｅｓ）、現在受信中の番組を映像・音声データ３０２として記憶する（ステップＳ１２）。続いて、制御部２０は、音声制御部５０に対してＴＶ音声の所定の音量に下げるように制御する（ステップＳ１４）。具体的には、現在の音量レベルから数段階下げる制御を行ったり、あらかじめ設定されている音量に調整したりするように制御する。ここで、ＴＶ音声とは、音声信号処理部から出力されている音声であり、図２においては、第１音声信号処理部１０８ａ及び第２音声信号処理部１０８ｂから出力されている音声である。
【００３７】
つづいて、音声制御部５０は、ＴＶ音声と入力音声とを合成してワイヤレス送受信部４０に出力する（ステップＳ１６）。具体的には、音声信号処理部から入力されている音声と、音声入力部６０から入力されている音声とを合成し、新たな音声信号としてワイヤレス送受信部４０に出力する。そして、ワイヤレス送受信部４０は、ワイヤレス送受信機７に対して音声信号を送信する。
【００３８】
音声入力部６０から音声が入力されている間（ステップＳ１８；Ｎｏ）、ステップＳ１６の処理が繰り返し実行される。そして、所定時間の間音声入力部６０から入力音声が検知されない場合（ステップＳ１８；Ｙｅｓ）、制御部２０は、音声制御部５０を制御することにより、ＴＶ音声の音量を規定値に戻す制御を行う（ステップＳ２０）。
【００３９】
続けて、ユーザより追いかけ再生の指示があった場合には（ステップＳ２２；Ｙｅｓ）、制御部２０は追いかけ再生処理を実行する（ステップＳ２４）。ここで、追いかけ再生処理とは、現在放送中の番組を、記録した位置から再生すると同時に、現在放送中の番組を記録する処理を言う。追いかけ再生処理が実行されることにより、会話を行っていた間の番組を視聴することが可能となる。そして、追いかけ再生の指示が無い場合（ステップＳ２２；Ｎｏ）か、追いかけ再生処理が終了した場合には、現在放送中の番組の記録を終了する（ステップＳ２６）。
【００４０】
このように、本実施形態によれば、ユーザから音声が入力された場合にはＴＶ音声の音量を一時的に下げることにより、入力音声が聞きやすい状態となり、会話が行いやすくなる。また、追いかけ再生の指示を行うことにより、会話終了後、会話中の番組を再度視聴できることから、番組の視聴を気にすることなく会話を行うことが出来るようになる。
【００４１】
〔変形例〕
本実施形態においては、チューナーを２つ内蔵するテレビ受像機について適用して説明したが、これに限定されるわけではなく、チューナーは一つであったり、複数であったり、してもよい。
【００４２】
また、表示装置１４の一例として液晶ディスプレイ３を用いることとして説明したが、例えば、プラズマディスプレイや、ＣＲＴ（Cathode Ray Tube）等の表示装置を用いても同様である。
【００４３】
また、テレビ受像機１に表示される映像は、受信した番組として説明したが、これに限られず外部から入力される映像ソースであっても良い。例えば、ＤＶＤの再生であったり、映像データ３０２に記録されている過去の番組であったり、どのような映像ソースでも同様であることは勿論である。
【００４４】
また、ユーザからの音声を検知した場合に下がる音量レベルについては、あらかじめ設定されていることとしても良いし、ユーザが設定することとしても良い。さらに、テレビ音声と、ユーザ音声の音量レベルをそれぞれ設定することとしても良い。この場合、ユーザが好みに応じて設定できることから、ユーザ音声をより聞きやすく設定することができる。
【図面の簡単な説明】
【００４５】
【図１】本実施形態におけるテレビ受像機及びワイヤレス送受信機の概観を示す図。
【図２】本実施形態におけるテレビ受像機の機能構成を示す図。
【図３】本実施形態における動作フローを示す図。
【符号の説明】
【００４６】
１  テレビ受像機
１０ａ  第１受信部
１０ｂ  第２受信部
１０２ａ  第１チューナー部
１０２ｂ  第２チューナー部
１０４ａ  第１デコーダ部
１０４ｂ  第２デコーダ部
１０６ａ  第１映像信号処理部
１０６ｂ  第２映像信号処理部
１０８ａ  第１音声信号処理部
１０８ｂ  第２音声信号処理部
１２  表示制御部
１４  表示装置
２０  制御部
３０  記憶部
３０２  映像・音声データ
４０  ワイヤレス送受信部
５０  音声制御部
６０  音声入力部
【図１】
2008072558.tif 000003
【図２】
2008072558.tif 000004
【図３】
2008072558.tif 000005